(57)【要約】      （修正有）【課題】つまみと中棒との分解作業を容易にでき、傘を廃棄するときには、それらを使用者自ら、或いはリサイクル業者が分解してからリサイクルへ回すことができ、非常に環境に優しい傘における中棒と手元との連結構造を提供する。【解決手段】連結端１１１と前記連結端１１１に凹設される収容孔１１２とを有するつまみ１１と、軸方向に貫通孔１３３が形成されると共に、一端に前記貫通孔１３３と連通する掛止孔１３５が径方向に穿設され、前記掛止孔１３５が穿設される端部が前記連結端１１１から露出するように前記収容孔１１２に挿設される位置決め管１３とを含む手元１０と、前記貫通孔１３３を貫通して前記収容孔１１２に挿設されると共に、弾性掛止部材２１が前記掛止孔１３５に掛止される中棒２０とにより構成する。【選択図】図２
0003149258.tif 000002
【実用新案登録請求の範囲】
【請求項１】
連結端（１１１）と前記連結端（１１１）に凹設される収容孔（１１２）とを有するつまみ（１１）と、軸方向に貫通孔（１３３）が形成されると共に、一端に前記貫通孔（１３３）と連通する掛止孔（１３５）が径方向に穿設され、前記掛止孔（１３５）が穿設される端部が前記連結端（１１１）から露出するように前記収容孔（１１２）に挿設される位置決め管（１３）とを含む手元（１０）と、
前記貫通孔（１３３）を貫通して前記収容孔（１１２）に挿設されると共に、弾性掛止部材（２１）が前記掛止孔（１３５）に掛止される中棒（２０）とを備えていることを特徴とする傘における中棒と手元との連結構造。
【請求項２】
前記収容孔（１１２）の壁面に軸方向に沿って位置決め溝（１１３）が凹設されると共に、底部に挿入孔（１１４）が凹設され、前記挿入孔（１１４）の底部に係止凸部（１１５）が突出して形成され、
前記位置決め管（１３）は、その外壁に軸方向に沿って位置決め凸部（１３４）が突出して形成される埋設部（１３１）と、軸方向と径方向に沿って前記埋設部（１３１）の一端から延出して形成され、前記掛止孔（１３５）が穿設されるヘッド部（１３２）とを有し、前記埋設部（１３１）とヘッド部（１３２）の軸方向に前記貫通孔（１３３）が穿設されると共に、前記埋設部（１３１）と位置決め凸部（１３４）はそれぞれ、前記収容孔（１１２）と位置決め溝（１１３）に挿設され、
前記中棒（２０）の一端に前記挿入孔（１１４）の係止凸部（１１５）を嵌合させるための係止凹部（２２）が形成されていることを特徴とする請求項１に記載の傘における中棒と手元との連結構造。
【請求項３】
前記手元（１０）は更に装飾リング（１２）を含み、前記装飾リング（１２）は、前記つまみ（１１）における連結端（１１１）に取り付けられると共に、前記収容孔（１１２）に連通する貫通孔（１２３）が形成され、
前記位置決め管（１３）は、前記掛止孔（１３５）が穿設される端部が前記装飾リング（１２）から露出するように前記貫通孔（１２３）を通過して前記収容孔（１１２）に挿設されていることを特徴とする請求項１に記載の傘における中棒と手元との連結構造。
【請求項４】
前記手元（１０）は更に装飾リング（１２）を含み、前記装飾リング（１２）は、前記つまみ（１１）における連結端（１１１）に取り付けられると共に、前記収容孔（１１２）に連通する貫通孔（１２３）が形成され、
前記位置決め管（１３）は、前記掛止孔（１３５）が前記装飾リング（１２）から露出するように前記埋設部（１３１）と位置決め凸部（１３４）が前記貫通孔（１２３）を通過してそれぞれ前記収容孔（１１２）と前記位置決め溝（１１３）に挿設されていることを特徴とする請求項２に記載の傘における中棒と手元との連結構造。
【請求項５】
前記装飾リング（１２）は板材であり、前記貫通孔（１２３）が対向する二つの板面を貫通して形成されると共に、前記二つの板面にそれぞれ貫通孔（１２３）に連通する上部嵌合段部（１２１）及び下部嵌合段部（１２２）が形成され、
前記連結端（１１１）は、前記下部嵌合段部（１２２）に嵌合され、
前記ヘッド部（１３２）は、前記上部嵌合段部（１２１）に嵌合されていることを特徴とする請求項４に記載の傘における中棒と手元との連結構造。
【考案の詳細な説明】
【技術分野】
【０００１】
本考案は、傘における中棒と手元との連結構造に関し、特に位置決め管と装飾リングを設けることにより、中棒とつまみとを分解し易い、傘における中棒と手元との連結構造に関する。
【背景技術】
【０００２】
一般に傘は、雨を防いだり、日差しを遮ったりするために頭上にかざすものであり、主に手で持つためのつまみと、一端が前記つまみに連結された中棒と、前記中棒の他端に取り付けられ、開閉自在な親骨と、前記親骨に支持された傘布とを含み、使用するときは、使用者が前記つまみを持ち、前記親骨を開いて傘布を展開させ、前記傘布により雨または日差しを防いでいる。
【０００３】
そのうち、前記つまみは、合成樹脂または木からなり、材料コストを低減させることができると共に、傘の重量を減らすことができることから、使用時負担を軽減することができる。一方、前記親骨と傘布を支持する中棒は、使用時に折れないようにするために一定の強度を有する金属からなると共に、前記つまみの脱落を防ぐために固定手段（接着剤やネジ等）により固設されている。
【考案の開示】
【考案が解決しようとする課題】
【０００４】
しかしながら、前記従来の傘は、前記つまみと前記中棒が異なる材料で作られることから、本来、傘が壊れた時には、分解してそれぞれリサイクルしたほうが環境にやさしいが、つまみと中棒とが完全に固設されており、分解しにくいことから、殆どの場合、一般ごみとして捨てられていた。また、たとえ傘をリサイクル業者に引き取ってもらったとしても処分し難いことから、結局は分解せずに一般ごみとして処理されているため、資源が無駄になると共に、環境汚染にも拍車をかける結果となっていた。
【０００５】
そこで、案出されたのが本考案であって、つまみと中棒との分解作業を容易にでき、傘を廃棄するときには、それらを使用者自ら、或いはリサイクル業者が分解してからリサイクルへ回すことができ、非常に環境に優しい傘における中棒と手元との連結構造を提供することを目的としている。
【課題を解決するための手段】
【０００６】
本願の請求項１の考案は、連結端（１１１）と前記連結端（１１１）に凹設される収容孔（１１２）とを有するつまみ（１１）と、軸方向に貫通孔（１３３）が形成されると共に、一端に前記貫通孔（１３３）と連通する掛止孔（１３５）が径方向に穿設され、前記掛止孔（１３５）が穿設される端部が前記連結端（１１１）から露出するように前記収容孔（１１２）に挿設される位置決め管（１３）とを含む手元（１０）と、前記貫通孔（１３３）を貫通して前記収容孔（１１２）に挿設されると共に、弾性掛止部材（２１）が前記掛止孔（１３５）に掛止される中棒（２０）とを備えていることを特徴とする傘における中棒と手元との連結構造、を提供する。
【０００７】
そして、本願の請求項２の考案は、前記収容孔（１１２）の壁面に軸方向に沿って位置決め溝（１１３）が凹設されると共に、底部に挿入孔（１１４）が凹設され、前記挿入孔（１１４）の底部に係止凸部（１１５）が突出して形成され、前記位置決め管（１３）は、その外壁に軸方向に沿って位置決め凸部（１３４）が突出して形成される埋設部（１３１）と、軸方向と径方向に沿って前記埋設部（１３１）の一端から延出して形成され、前記掛止孔（１３５）が穿設されるヘッド部（１３２）とを有し、前記埋設部（１３１）とヘッド部（１３２）の軸方向に前記貫通孔（１３３）が穿設されると共に、前記埋設部（１３１）と位置決め凸部（１３４）はそれぞれ、前記収容孔（１１２）と位置決め溝（１１３）に挿設され、前記中棒（２０）の一端に前記挿入孔（１１４）の係止凸部（１１５）を嵌合させるための係止凹部（２２）が形成されていることを特徴とする請求項１に記載の傘における中棒と手元との連結構造、を提供する。
【０００８】
また、本願の請求項３の考案は、前記手元（１０）は更に装飾リング（１２）を含み、前記装飾リング（１２）は、前記つまみ（１１）における連結端（１１１）に取り付けられると共に、前記収容孔（１１２）に連通する貫通孔（１２３）が形成され、前記位置決め管（１３）は、前記掛止孔（１３５）が穿設される端部が前記装飾リング（１２）から露出するように前記貫通孔（１２３）を通過して前記収容孔（１１２）に挿設されていることを特徴とする請求項１に記載の傘における中棒と手元との連結構造、を提供する。
【０００９】
更に、本願の請求項４の考案は、前記手元（１０）は更に装飾リング（１２）を含み、前記装飾リング（１２）は、前記つまみ（１１）における連結端（１１１）に取り付けられると共に、前記収容孔（１１２）に連通する貫通孔（１２３）が形成され、前記位置決め管（１３）は、前記掛止孔（１３５）が前記装飾リング（１２）から露出するように前記埋設部（１３１）と位置決め凸部（１３４）が前記貫通孔（１２３）を通過してそれぞれ前記収容孔（１１２）と前記位置決め溝（１１３）に挿設されていることを特徴とする請求項２に記載の傘における中棒と手元との連結構造、を提供する。
【００１０】
また、本願の請求項５の考案は、前記装飾リング（１２）は板材であり、前記貫通孔（１２３）が対向する二つの板面を貫通して形成されると共に、前記二つの板面にそれぞれ貫通孔（１２３）に連通する上部嵌合段部（１２１）及び下部嵌合段部（１２２）が形成され、
前記連結端（１１１）は、前記下部嵌合段部（１２２）に嵌合され、
前記ヘッド部（１３２）は、前記上部嵌合段部（１２１）に嵌合されていることを特徴とする請求項４に記載の傘における中棒と手元との連結構造、を提供する。
【考案の効果】
【００１１】
本考案は上記の課題を解決するものであり、中棒と手元は、前記中棒における弾性掛止部材が位置決め管における掛止孔に掛止されることによって互いに位置決めされる仕組みであることから、製造時の組み立て作業が非常に容易であると共に、傘が壊れて使用できなくなり、廃棄したり、リサイクルに回す時には、使用者若しくはリサイクル業者において、弾性掛止部材を押すだけで手軽につまみと手元とを分解することができ、材質別に分別することができることから、つまみと中棒が分解し難い従来の傘と比べ、資源のリサイクルや環境汚染の防止に非常に役立つ。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る傘における中棒と手元との連結構造を示す斜視図であり、図２は本考案に係る傘における中棒と手元との連結構造を示す分解斜視図であり、図３は本考案に係る傘における中棒と手元との連結構造を示す部分正面断面図であり、図４は本考案に係る傘における中棒と手元との連結構造を示す部分側面断面図である。
【００１４】
図１及び図２に示すように、本考案に係る傘における中棒と手元との連結構造は、手元（１０）と、中棒（２０）とを備え、前記手元（１０）は、つまみ（１１）と、位置決め管（１３）と、装飾リング（１２）、とを含んでいる。図３及び図４に示すように、前記つまみ（１１）は、連結端（１１１）と、前記連結端（１１１）に凹設される収容孔（１１２）とを有する湾曲状の棒体であり、前記収容孔（１１２）の壁面には、軸方向に沿って、連結端（１１１）まで達する位置決め溝（１１３）が凹設されると共に、底部に挿入孔（１１４）が凹設され、前記挿入孔（１１４）の底部に係止凸部（１１５）が突出して形成されている。
【００１５】
前記装飾リング（１２）は、板材であり、貫通孔（１２３）が対向する二つの板面を貫通して形成されると共に、前記二つの板面にそれぞれ貫通孔（１２３）に連通する上部嵌合段部（１２１）と、下部嵌合段部（１２２）とが形成され、前記つまみ（１１）における連結端（１１１）は、前記下部嵌合段部（１２２）に嵌合される。
【００１６】
前記位置決め管（１３）は、前記つまみ（１１）における収容孔（１１２）及び前記装飾リング（１２）における上部嵌合段部（１２１）のサイズに対応するチューブ体である埋設部（１３１）及び軸方向と径方向に沿って前記埋設部（１３１）の一端から延出するように設けられるヘッド部（１３２）を有し、前記埋設部（１３１）と前記ヘッド部（１３２）に軸方向の貫通孔（１３３）が形成されると共に、前記埋設部（１３１）の外部に位置決め凸部（１３４）が軸方向に沿って突出して形成され、前記ヘッド部（１３２）に前記貫通孔（１３３）と連通する掛止孔（１３５）が径方向に穿設され、
前記位置決め管（１３）には、前記埋設部（１３１）と前記位置決め凸部（１３４）が前記装飾リング（１２）における貫通孔（１２３）を通過してそれぞれ前記つまみ（１１）における収容孔（１１２）と位置決め溝（１１３）に挿設されると共に、前記位置決め管（１３）におけるヘッド部（１３２）は、掛止孔（１３５）が装飾リング（１２）から露出するように上部嵌合段部（１２１）に嵌合され、そして固定手段（例えば、接着剤など）により位置決め管（１３）がつまみ（１１）に固設されることにより、位置決め管（１３）とつまみ（１１）とが互いに回転不能且つ離脱不能に組み合わされる。
【００１７】
前記中棒（２０）は中空の棒体であり、常に中棒（２０）の表面から突出し、外力を受けると中棒（２０）の内部に退く弾性掛止部材（２１）を有すると共に、一端に前記つまみ（１１）における挿入孔（１１４）の係止凸部（１１５）と対応する係止凹部（２２）が形成され、更に、前記中棒（２０）は、前記係止凹部（２２）と前記係止凸部（１１５）とが嵌合するように、前記位置決め管（１３）における貫通孔（１３３）を通過して前記挿入孔（１１４）に挿設されると共に、前記弾性掛止部材（２１）が前記位置決め管（１３）における掛止孔（１３５）に掛止され、これにより中棒（２０）とつまみ（１１）が回転不能に位置決め固定される。
【００１８】
尚、本実施例における前記位置決め管（１３）、装飾リング（１２）及びつまみ（１１）は、合成樹脂によりなるものであるが、他の材料で作られたものでも構わない。
【産業上の利用可能性】
【００１９】
本考案は上記の構成を有するので、弾性掛止部材を押圧して位置決め管の掛止孔から離脱させるだけで、中棒と手元とを分解することができ、また、傘を廃棄する際には、中棒と手元とを材質別に分別して回収作業に回すことによりリサイクルが容易となるので、一般ごみとして処分した時のような、資源の浪費や環境汚染を防ぐことができる。
【図面の簡単な説明】
【００２０】
【図１】本考案に係る傘における中棒と手元との連結構造を示す斜視図である。
【図２】本考案に係る傘における中棒と手元との連結構造を示す分解斜視図である。
【図３】本考案に係る傘における中棒と手元との連結構造を示す部分正面断面図である。
【図４】本考案に係る傘における中棒と手元との連結構造を示す部分側面断面図である。
【符号の説明】
【００２１】
１０        手元
１１        つまみ
１１１        連結端
１１２        収容孔
１１３        位置決め溝
１１４        挿入孔
１１５        係止凸部
１２        装飾リング
１２１        上部嵌合段部
１２２        下部嵌合段部
１２３        貫通孔
１３        位置決め管
１３１        埋設部
１３２        ヘッド部
１３３        貫通孔
１３４        位置決め凸部
１３５        掛止孔
２０        中棒
２１        弾性掛止部材
２２        係止凹部
【図１】
0003149258.tif 000003
【図２】
0003149258.tif 000004
【図３】
0003149258.tif 000005
【図４】
0003149258.tif 000006